(57)【要約】【課題】表示装置の収容空間において電子部品が発熱部よりも上側に配されても、発熱部による電子部品の温度上昇を抑制できるようにする。【解決手段】表示装置は、前面に表示面２ａを有する板状の表示パネル２と、表示パネル２の背面２ｂ側において背面２ｂに沿う第一方向に間隔をあけて配される発熱部３及び電子部品４と、表示パネル２の背面２ｂに対向するように配され、表示パネル２の厚さ方向において電子部品４を覆う第一部位５Ａ、及び、第一部位５Ａの縁から表示パネル２の背面２ｂに向けて延び、電子部品４のうち第一方向における発熱部３側の部位を覆う第二部位５Ｂを有する保護カバー５と、表示パネル２の背面２ｂ側に配されて、背面２ｂとの間に発熱部３、電子部品４及び保護カバー５が収容される収容空間ＨＳを形成するバックカバー６と、を備える。【選択図】図５
2019197134.tif 000002
【特許請求の範囲】
【請求項１】
前面に表示面を有する板状の表示パネルと、
前記表示パネルの背面側に配される発熱部と、
前記背面に沿う第一方向において前記発熱部に対して間隔をあけるように前記背面側に配される電子部品と、
前記表示パネルの背面に対向するように配され、前記表示パネルの厚さ方向において前記電子部品を覆う第一部位、及び、前記第一部位の縁から前記背面に向けて延び、前記電子部品のうち前記第一方向における前記発熱部側の部位を覆う第二部位を有する保護カバーと、
前記表示パネルの背面側に配されて、前記背面との間に前記発熱部、前記電子部品及び前記保護カバーが収容される収容空間を形成するバックカバーと、を備える表示装置。
【請求項２】
前記保護カバーが、前記第二部位の延長方向の先端から前記第一方向において前記発熱部に近づく方向に延びる第三部位を有し、
前記第一方向において前記電子部品との間に前記第二部位が位置するように配されると共に、前記厚さ方向において前記第三部位を前記背面に近づけるように押さえるガード部、をさらに備える請求項１に記載の表示装置。
【請求項３】
前記ガード部が、前記バックカバーの内面に接触する請求項２に記載の表示装置。
【請求項４】
前記バックカバーのうち、前記第一方向において前記電子部品よりも前記発熱部から離れて位置する部位に、前記収容空間を外側の空間につなぐ通気孔が形成されている請求項１から請求項３のいずれか一項に記載の表示装置。
【請求項５】
前記電子部品が、前記第一方向における前記発熱部の両側に配され、
前記保護カバーが、各電子部品に対してそれぞれ設けられている請求項１から請求項４のいずれか一項に記載の表示装置。
【請求項６】
複数の前記電子部品が、前記発熱部に対して、前記背面に沿って前記第一方向に直交する第二方向の一方側にずれて位置する請求項５に記載の表示装置。
【請求項７】
前面に表示面を有する板状の表示パネルと、前記表示パネルの背面側に配される発熱部と、前記背面に沿う第一方向において前記発熱部に対して間隔をあけるように前記背面側に配される電子部品と、前記表示パネルの背面側に配されて、前記背面との間に前記発熱部及び前記電子部品が収容される収容空間を形成するバックカバーと、を備える表示装置において、前記電子部品を前記発熱部の熱から保護する電子部品の保護方法であって、
前記収容空間に、前記表示パネルの背面に対向するように配され、前記表示パネルの厚さ方向において前記電子部品を覆う第一部位、及び、前記第一部位の縁から前記背面に向けて延び、前記電子部品のうち前記第一方向における前記発熱部側の部位を覆う第二部位を有する保護カバーを配する電子部品の保護方法。
【発明の詳細な説明】
【技術分野】
【０００１】
本発明は、表示装置、及び電子部品の保護方法に関する。
【背景技術】
【０００２】
特許文献１には、前面が画像を表示する表示面とされた表示パネルと、表示パネルの背面側に配されて、表示パネルを動作させるための各種の回路部品と、表示パネルの背面及び回路部品を覆うバックカバーと、を備えた表示装置が開示されている。特許文献１の表示装置では、表示パネルとバックカバーとの間の内部空間を、仕切板によって上下方向に配列された複数の領域に分割している。また、バックカバーには、分割された各領域に対応する通気孔が形成されている。そして、通気孔を通じて各領域と外部の空間との間で空気を対流させることで、上記した内部空間における温度上昇の抑制を図っている。
【先行技術文献】
【特許文献】
【０００３】
【特許文献１】特開２００８−９１６４号公報
【発明の概要】
【発明が解決しようとする課題】
【０００４】
ところで、表示パネルとバックカバーとの間の内部空間に配される回路部品には、電源部等のように熱を発する発熱部や、コンデンサ等のように熱から保護する必要がある電子部品などが含まれる。このような構成においては、電子部品を発熱部よりも下側に配すれば、電子部品が発熱部の熱によって加熱されることを防止できる。
しかしながら、表示装置には、表示面を横長の状態（ランドスケープ）や縦長の状態（ポートレート）で使用するものがある。この種の表示装置においては、表示面の向きによって電子部品が発熱部よりも上側に配されてしまう場合がある。この場合、発熱部によって熱せられた空気が上昇することで電子部品に直接到達して、電子部品が加熱されてしまう、という問題がある。
【０００５】
この発明は、上述した事情に鑑みてなされたものであって、表示面の向きによって電子部品が発熱部よりも上側に配されても、発熱部による電子部品の温度上昇を抑制できる表示装置、及び電子部品の保護方法を提供することを目的とする。
【課題を解決するための手段】
【０００６】
本発明の表示装置は、前面に表示面を有する板状の表示パネルと、前記表示パネルの背面側に配される発熱部と、前記背面に沿う第一方向において前記発熱部に対して間隔をあけるように前記背面側に配される電子部品と、前記表示パネルの背面に対向するように配され、前記表示パネルの厚さ方向において前記電子部品を覆う第一部位、及び、前記第一部位の縁から前記背面に向けて延び、前記電子部品のうち前記第一方向における前記発熱部側の部位を覆う第二部位を有する保護カバーと、前記表示パネルの背面側に配されて、前記背面との間に前記発熱部、前記電子部品及び前記保護カバーが収容される収容空間を形成するバックカバーと、を備えることを特徴とする。
【０００７】
本発明の電子部品の保護方法は、前面に表示面を有する板状の表示パネルと、前記表示パネルの背面側に配される発熱部と、前記背面に沿う第一方向において前記発熱部に対して間隔をあけるように前記背面側に配される電子部品と、前記表示パネルの背面側に配されて、前記背面との間に前記発熱部及び前記電子部品が収容される収容空間を形成するバックカバーと、を備える表示装置において、前記電子部品を前記発熱部の熱から保護する電子部品の保護方法であって、前記収容空間に、前記表示パネルの背面に対向するように配され、前記表示パネルの厚さ方向において前記電子部品を覆う第一部位、及び、前記第一部位の縁から前記背面に向けて延び、前記電子部品のうち前記第一方向における前記発熱部側の部位を覆う第二部位を有する保護カバーを配することを特徴とする。
【発明の効果】
【０００８】
本発明によれば、表示面の向きによって電子部品が発熱部よりも上側に配されても、保護カバーによって発熱部による電子部品の温度上昇を抑制することができる。
【図面の簡単な説明】
【０００９】
【図１】本発明の一実施形態に係る表示装置をバックカバー側から見た平面図である。
【図２】図１の表示装置からバックカバーを取り外した状態を示す平面図である。
【図３】図１の表示装置の要部の概略を示す拡大断面図である。
【図４】図１〜３の表示装置の表示装置において、発熱部によって熱せられた空気の流れを示す平面図である。
【図５】本発明の他の実施形態に係る表示装置の要部を示す拡大断面図である。
【発明を実施するための形態】
【００１０】
以下、図１〜４を参照して本発明の一実施形態について説明する。
図１〜３に示すように、本実施形態に係る表示装置１は、表示パネル２と、発熱部３と、電子部品４と、保護カバー５と、バックカバー６と、を備える。また、本実施形態の表示装置１は、ガード部７を備える。
【００１１】
表示パネル２は、板状に形成されている。表示パネル２は、前面に画像を表示するための表示面２ａを有する。表示パネル２は、その厚さ方向（Ｚ軸方向）から見た平面視で、厚さ方向に直交する第一方向（Ｙ軸方向）を長辺とし、厚さ方向及び第一方向に直交する第二方向（Ｘ軸方向）を短辺とする矩形状に形成されている。表示パネル２は、例えば液晶ディスプレイパネルや有機ＥＬディスプレイパネル等、任意であってよい。
【００１２】
発熱部３及び電子部品４は、表示パネル２の背面２ｂ（前面と反対側の面）側に配される。電子部品４は、表示パネル２の背面２ｂに沿う第一方向（Ｙ軸方向）において発熱部３に対して間隔をあけて位置する。
電子部品４は、表示パネル２の背面２ｂに沿って第一方向に直交する第二方向（Ｘ軸方向）において、例えば発熱部３と同じ位置に配されてよい。本実施形態において、電子部品４は、発熱部３に対して第二方向の一方側（図示例ではＸ軸負方向側）にずれた位置に配される。また、本実施形態において、電子部品４は、第一方向における発熱部３の両側に配されている。すなわち、本実施形態の表示装置１は、複数の電子部品４を備える。
【００１３】
発熱部３及び電子部品４は、表示装置１を動作させるための回路部品である。発熱部３は、例えば通電によって発熱する部品であり、例えば表示装置１の各部（例えば表示パネル２、電子部品４など）に電源を供給する電源部であってよい。電子部品４は、発熱部３の熱から保護する必要がある部品であり、例えばコンデンサ等であってよい。
本実施形態において、電子部品４は、表示パネル２の背面２ｂに配された回路基板８に搭載される。表示パネル２の背面２ｂには、回路基板８と電子部品４とが順番に重ねて配される。電子部品４及び回路基板８は、例えばコンバータを構成してよい。図示例において、電子部品４は、回路基板８のうち第一方向において発熱部３から離れて位置する部位に寄せて位置しているが、これに限ることはない。
【００１４】
保護カバー５は、前述した電子部品４を覆う。図２，３に示すように、保護カバー５は、第一部位５Ａと、第二部位５Ｂと、を有する。また、本実施形態の保護カバー５は、第三部位５Ｃをさらに有する。
第一部位５Ａは、表示パネル２の背面２ｂに対向するように配され、表示パネル２の厚さ方向において電子部品４を覆う。第二部位５Ｂは、第一部位５Ａの縁から表示パネル２の背面２ｂに向けて延び、電子部品４のうち第一方向における発熱部３側の部位を覆う。すなわち、第二部位５Ｂは、第一方向において発熱部３と電子部品４との間に位置する。第三部位５Ｃは、第二部位５Ｂの延長方向の先端から第一方向において発熱部３に近づく方向に延びる。これら第一〜第三部位５Ａ〜５Ｃは、一体に形成されている。
【００１５】
本実施形態において、保護カバー５は、表示パネル２の背面２ｂとの間に電子部品４を搭載する回路基板８が位置するように配される。すなわち、保護カバー５は、電子部品４を搭載する回路基板８も覆う。特に、保護カバー５の第一部位５Ａ及び第三部位５Ｃが、表示パネル２の厚さ方向において回路基板８を覆う。
【００１６】
保護カバー５の具体的な構成は、任意であってよい。本実施形態の保護カバー５は、シート状に形成されている。特に、保護カバー５の第一部位５Ａ、第三部位５Ｃは、表示パネル２の背面２ｂに沿って延びる平坦なシート状に形成されている。保護カバー５は、断熱性を有するとよい。また、保護カバー５は、例えば安全規格の防火エンクロージャーとして機能してよい。保護カバー５は、例えばポリエチレンテレフタレート（ＰＥＴ）等の樹脂によって形成されてよい。
【００１７】
保護カバー５は、例えば第一方向に配列された二つの電子部品４のうち第一電子部品４Ａ（発熱部３に対してＸ軸正方向側に位置する電子部品４Ａ）に対してのみ設けられてよい。本実施形態において、保護カバー５は、各電子部品４（第一電子部品４Ａ、第二電子部品４Ｂ）に対してそれぞれ設けられる。
【００１８】
ガード部７は、第一方向において電子部品４との間に保護カバー５の第二部位５Ｂが位置するように配される。また、ガード部７は、表示パネル２の厚さ方向において表示パネル２との間に保護カバー５の第三部位５Ｃが位置するように配される。ガード部７は、表示パネル２の厚さ方向において保護カバー５の第三部位５Ｃを表示パネル２の背面２ｂに近づけるように押さえる。本実施形態において、ガード部７は、保護カバー５の第三部位５Ｃを回路基板８に近づけるように押さえる。
【００１９】
ガード部７の具体的な構成は、任意であってよい。本実施形態のガード部７は、第二方向に延びる棒状に形成されている。第二方向におけるガード部７の長さは、表示パネル２や後述するバックカバー６の第二方向の寸法よりも十分に短い。ガード部７の長手方向に直交するガード部７の断面形状は、中実形状や中空形状など任意であってよい。本実施形態のガード部７は、断面Ｃ字状（コ字状）に形成されている。ガード部７は、例えば樹脂によって形成されてよいが、本実施形態では金属によって形成されている。
【００２０】
ガード部７の長手方向の両端部は、第二方向における保護カバー５の両端から突出する。ガード部７は、例えばその長手方向の両端部をねじ止め等によって表示パネル２の背面２ｂに着脱可能に取り付けられてよい。これにより、保護カバー５の第三部位５Ｃをガード部７によって回路基板８（表示パネル２の背面２ｂ）に近づけるように押さえることができる。
【００２１】
ガード部７は、例えば第一電子部品４Ａに対してのみ設けられてよい。本実施形態において、ガード部７は、第一電子部品４Ａ、第二電子部品４Ｂに対してそれぞれ設けられる。
【００２２】
図１，３に示すように、バックカバー６は、表示パネル２の背面２ｂ側に配される。バックカバー６は、表示パネル２の背面２ｂとの間に発熱部３、電子部品４及び保護カバー５が収容される収容空間ＨＳを形成する。本実施形態においては、ガード部７や回路基板８も収容空間ＨＳに収容される。バックカバー６は、ねじ止めによって表示パネル２の背面２ｂに対して着脱可能に固定される。
【００２３】
バックカバー６には、収容空間ＨＳを外側の空間につなげる通気孔９が形成されている。通気孔９は、例えば小さい孔を多数配列して構成されてよい。通気孔９は、バックカバー６の任意の部位に形成されてよい。通気孔９は、バックカバー６のうち、第一方向において電子部品４よりも発熱部３から離れて位置する部位に形成されてよい。また、通気孔９は、バックカバー６のうち、第二方向において電子部品４や保護カバー５に隣り合う部位に形成されてよい。また、通気孔９は、バックカバー６のうち、第一方向や第二方向において発熱部３に隣り合う部位に形成されてもよい。
本実施形態において、通気孔９は、第一方向におけるバックカバー６の両端部に形成されている。通気孔９は、第一方向におけるバックカバー６の各端部において、第二方向に互いに間隔をあけて複数配列されている。また、通気孔９は、平面視したバックカバー６の各角部に沿って複数配列されている。
【００２４】
また、本実施形態の表示装置１では、前述したガード部７がバックカバー６の内面６ａに接触してよい。具体的に、ガード部７は、表示パネル２の背面２ｂに対向するバックカバー６の内面６ａに接触してよい。
保護カバー５の第一部位５Ａは、例えばガード部７と同様に、上記したバックカバー６の内面６ａに接触してもよいが、本実施形態ではバックカバー６の内面６ａに対して間隔をあけて位置している。すなわち、保護カバー５の第一部位５Ａとバックカバー６の内面６ａとの間には、隙間Ｓ１が形成されている。
【００２５】
次に、本実施形態に係る電子部品の保護方法について説明する。
本実施形態に係る電子部品の保護方法は、上記した表示パネル２、発熱部３、電子部品４及びバックカバー６を備える表示装置１において、電子部品４を発熱部３の熱から保護する方法である。本実施形態に係る電子部品の保護方法では、図３に示すように、表示パネル２の背面２ｂとバックカバー６との間に形成された収容空間ＨＳに、上記した保護カバー５を配する。すなわち、保護カバー５の第一部位５Ａが表示パネル２の厚さ方向において電子部品４を覆うように、また、保護カバー５の第二部位５Ｂが電子部品４のうち第一方向における発熱部３側の部位を覆うように、保護カバー５を配する。
【００２６】
また、本実施形態の保護方法では、上記のように保護カバー５を配した後に、第一方向において電子部品４との間に保護カバー５の第二部位５Ｂが位置するようにガード部７を配する。また、ガード部７によって保護カバー５の第三部位５Ｃを回路基板８（表示パネル２の背面２ｂ）に近づけるように押さえる。ガード部７によって保護カバー５の第三部位５Ｃを押さえるためには、例えばガード部７をねじ止め等によって表示パネル２の背面２ｂに取り付ければよい。
【００２７】
以上説明したように、本実施形態の表示装置１及び電子部品の保護方法によれば、電子部品４が、保護カバー５の第一部位５Ａによって表示パネル２の厚さ方向から覆われる。また、電子部品４のうち第一方向における発熱部３側の部位が、保護カバー５の第二部位５Ｂによって覆われる。さらに、保護カバー５の第一部位５Ａ及び第二部位５Ｂは、一体に形成されている。このため、表示面２ａをポートレート状態で使用するために、発熱部３が電子部品４に対して鉛直方向の下側（Ｙ軸負方向側）に位置していても、発熱部３の熱による電子部品４の温度上昇を抑制することができる。
【００２８】
具体的に説明すれば、図３，４に示すように第一方向が鉛直方向に向くように表示装置１を配した状態では、第一方向に配列された発熱部３と第一電子部品４Ａとの間に保護カバー５の第二部位５Ｂが位置する。このため、発熱部３によって熱せられた空気が第一電子部品４Ａに向けて鉛直方向上側に上昇しても、保護カバー５の第二部位５Ｂにより、発熱部３によって熱せられた空気が第一電子部品４Ａに到達することを抑制できる。図４における矢印Ｈは、発熱部３によって熱せられた空気の流れを示している。
また、第一電子部品４Ａとバックカバー６の内面６ａとの間には保護カバー５の第一部位５Ａが位置する。このため、発熱部３によって熱せられた空気が第一電子部品４Ａとバックカバー６の内面６ａとの間に入り込んでも、保護カバー５の第一部位５Ａにより、発熱部３によって熱せられた空気が第一電子部品４Ａに到達することを抑制できる。
以上のことから、発熱部３による電子部品４の温度上昇を抑制できる。
【００２９】
また、本実施形態の表示装置１によれば、第二部位５Ｂの延長方向の先端から第一方向において発熱部３に近づく方向に延びる保護カバー５の第三部位５Ｃが、ガード部７によって回路基板８（表示パネル２の背面２ｂ）に近づけるように押さえられる。このため、保護カバー５が撓み変形可能なシート状に形成されていても、ガード部７によって保護カバー５がばたつく等して、保護カバー５の第三部位５Ｃ（第二部位５Ｂの延長方向の先端）と、回路基板８（表示パネル２の背面２ｂ）との間の隙間Ｓ２（図３参照）が大きくなることを抑制できる。すなわち、発熱部３によって熱せられた空気が、保護カバー５の第三部位５Ｃと回路基板８（表示パネル２の背面２ｂ）との隙間Ｓ２を通じて電子部品４（第一電子部品４Ａ）に到達することを抑制できる。したがって、発熱部３による電子部品４（第一電子部品４Ａ）の温度上昇を効果的に抑制できる。
【００３０】
また、本実施形態の表示装置１によれば、ガード部７が、保護カバー５の第二部位５Ｂと同様に、第一方向に配列された発熱部３と電子部品４との間に位置する。すなわち、ガード部７が第二部位５Ｂに対して発熱部３側に隣り合わせて位置する。このため、発熱部３によって熱せられた空気が電子部品４（第一電子部品４Ａ）に向けて鉛直方向上側に上昇しても、発熱部３によって熱せられた空気が電子部品４（第一電子部品４Ａ）に到達することをガード部７によって抑制することもできる。
【００３１】
また、本実施形態の表示装置１において、ガード部７がバックカバー６の内面６ａに接触する場合には、ガード部７とバックカバー６の内面６ａとの隙間が埋められる。このため、発熱部３によって熱せられた空気が、第一方向においてガード部７よりも鉛直方向上側に位置する保護カバー５の第一部位５Ａとバックカバー６との隙間Ｓ１に入り込むことを抑制又は防止できる。これにより、発熱部３によって熱せられた空気が電子部品４（第一電子部品４Ａ）の近くを通ることを抑制できる。すなわち、発熱部３による電子部品４（第一電子部品４Ａ）の温度上昇を効果的に抑制できる。
【００３２】
また、本実施形態の表示装置１によれば、第一方向において電子部品４よりも発熱部３から離れて位置するバックカバー６の部位に、通気孔９が形成されている。このため、発熱部３によって熱せられた空気は、図４に示すように、収容空間ＨＳにおいて電子部品４よりも上方に上昇した後に、通気孔９を通じて収容空間ＨＳの外側に流れ出る。これにより、発熱部３によって熱せられた空気が、収容空間ＨＳのうち電子部品４が配された領域（例えば保護カバー５の第二部位５Ｂよりも鉛直方向上側の領域）に滞留することを防止できる。すなわち、電子部品４の温度上昇をさらに効果的に抑制できる。
【００３３】
また、本実施形態の表示装置１では、電子部品４が第一方向における発熱部３の両側に配されている。このため、第一方向が鉛直方向となるように表示装置１が配された状態においては、いずれか一方の電子部品４（図示例では第一電子部品４Ａ）が放熱部よりも鉛直方向上側に位置する。ここで、保護カバー５は、上記の両方の電子部品４（第一電子部品４Ａ、第二電子部品４Ｂ）に対してそれぞれ設けられているため、いずれの電子部品４が発熱部３よりも鉛直方向上側に位置していても、発熱部３による電子部品４の温度上昇を抑制できる。
【００３４】
また、本実施形態の表示装置１では、第一方向において発熱部３の両側に配された複数の電子部品４が、発熱部３に対して第二方向の一方側にずれて位置する。このため、表示面２ａをランドスケープ状態で使用するために、第二方向が鉛直方向となるように表示装置１を配した状態では、複数の電子部品４を発熱部３よりも鉛直方向の下側に配することができる。すなわち、この状態では、発熱部３によって熱せられた空気が、電子部品４に到達することを確実に防止できる。
【００３５】
また、本実施形態の表示装置１では、電子部品４を搭載する回路基板８も、保護カバー５によって表示パネル２の厚さ方向から覆われる。このため、発熱部３によって熱せられた空気が電子部品４に向けて鉛直方向上側に上昇しても、保護カバー５により、発熱部３によって熱せられた空気が回路基板８に到達することも抑制できる。これにより、回路基板８の温度が、発熱部３によって熱せられた空気によって上昇することも抑制できる。したがって、電子部品４が、回路基板８を介して加熱されることを抑制できる。
【００３６】
また、本実施形態の表示装置１では、ガード部７が、第一方向において発熱部３の両側に配された電子部品４に対してそれぞれ設けられている。このため、ガード部７が一方の電子部品４に対してだけ設けられる場合と比較して、バックカバー６をガード部７に押し付けた場合に生じるバックカバー６の撓みを抑制又は防止できる。
【００３７】
以上、本発明に係る表示装置及び電子部品の保護方法の一実施形態について説明したが、本発明は上記の実施形態に限定されるものではなく、その趣旨を逸脱しない範囲において適宜変更可能である。
【００３８】
本発明の保護カバー５は、例えば図５に示すように、少なくとも第一部位５Ａ及び第二部位５Ｂを備えればよい。
本発明の表示装置１は、例えば図５に示すように、ガード部７を備えなくてもよい。この場合、保護カバー５は、例えばねじ止め等によって表示パネル２の背面２ｂや回路基板８に直接取り付けられてよい。
【符号の説明】
【００３９】
１  表示装置
２  表示パネル
２ａ  表示面
２ｂ  背面
３  発熱部
４  電子部品
４Ａ  第一電子部品
４Ｂ  第二電子部品
５  保護カバー
５Ａ  第一部位
５Ｂ  第二部位
５Ｃ  第三部位
６  バックカバー
６ａ  内面
７  ガード部
８  回路基板
９  通気孔
ＨＳ  収容空間
【図１】
2019197134.tif 000003
【図２】
2019197134.tif 000004
【図３】
2019197134.tif 000005
【図４】
2019197134.tif 000006
【図５】
2019197134.tif 000007